(57)【特許請求の範囲】
【請求項１】
差動的に相互結合された左右の車軸（４０Ｌ・４０Ｒ）と、該車軸（４０Ｌ・４０Ｒ）への動力を無段変速する二つのＨＳＴ（２５・２８）とを有し、うち一方のＨＳＴ（２５）を作動させたときに左右の車軸（４０Ｌ・４０Ｒ）を同方向に駆動して機体を直進させ、他方のＨＳＴ（２８）を作動させたときに左右の車軸（４０Ｌ・４０Ｒ）に相対回転差を与えて機体を旋回させるように構成された作業車のトランスミッション（Ｍ）において、上記二つのＨＳＴ（２５・２８）はミッションケース（２２）を挟んで向かい合わせに取り付けられ、一方のＨＳＴ（２５）のケース（２５ａ）内部と、他方のＨＳＴ（２８）のケース（２８ａ）内部とは、パイプ部材（７９）を介して連通させており、両ＨＳＴ（２５・２８）の各々のケース（２５ａ・２８ａ）内にて、規定量をオーバーフローした潤滑油は、該パイプ部材（７９）を介して、相互に他方のケース（２５ａ・２８ａ）内部に導入し合流させ、合流した油が規定量以上に達すると、他方のＨＳＴ（２８）のハウジングからミッションケース（２２）内へ排出するように構成したことを特徴とする作業車のトランスミッション。
【請求項２】
請求項１記載の作業車のトランスミッションにおいて、前記二つのＨＳＴ（２５・２８）のうち一方のＨＳＴ（２５）のポンプ軸（２３ａ）により駆動されるチャージポンプ（ＣＰ）の吐出油を、作動油の漏れ分を補償すべく、一方のＨＳＴ（２５）の油補給回路に供給するように構成し、該一方のＨＳＴ（２５）の油補給回路と、他方のＨＳＴ（２８）の油補給回路とをパイプ部材（７８）にて接続したことを特徴とする作業車のトランスミッション。
【請求項３】
請求項１記載の作業車のトランスミッションにおいて、前記一方のＨＳＴ（２５）が機体前進方向へ駆動されるときだけ係合して、刈取ＰＴＯ軸（５５）を駆動するワンウェイクラッチ（７３）を設け、前記他方のＨＳＴ（２８）のハウジング内の油をミッションケース（２２）へ戻す経路の途中から、該刈取ＰＴＯ軸（５５）とワンウェイクラッチ（７３）の潤滑部位を潤滑するための油を分岐させたことを特徴とする作業車のトランスミッション。
【請求項４】
請求項１記載の作業車のトランスミッションにおいて、前記ミッションケース（２２）内の潤滑油によって、上記ＨＳＴ（２５・２８）を潤滑した後、該ミッションケース（２２）の側面に凸状に設けられた油溜め（Ａ）に導入し、該油溜め（Ａ）に設けられた戻し孔（８３）を介して再びミッションケース（２２）に戻すように構成したことを特徴とする作業車のトランスミッション。
【請求項５】
請求項４記載の作業車のトランスミッションにおいて、前記一方のＨＳＴ（２５）から車軸（４０Ｌ・４０Ｒ）へ至る伝動経路中に介在させた変速機構（３２）を、連係して変速操作するための変速操作部（Ｇ）を、上記油溜め（Ａ）に臨ませて配置したことを特徴とする作業車のトランスミッション。
【発明の詳細な説明】
【０００１】
【発明の属する技術分野】
本発明は、走行駆動用のＨＳＴ装置及び旋回駆動用のＨＳＴ装置を備えた作業車のトランスミッションの技術に関する。詳細には、上記トランスミッションのコンパクト化及び製造コストの低減のためのレイアウトの技術に関する。
【０００２】
【従来の技術】
従来から、車速を変更する走行駆動用のＨＳＴ装置及びステアリングのための旋回駆動用のＨＳＴ装置の二者を、ミッションケースの側壁に並置して、コンパクトな構成とした作業車のトランスミッションの技術は公知となっている。例えば、特開平１０−５４４５１号の技術である。
【０００３】
【発明が解決しようとする課題】
上記技術は、コンパクトにトランスミッションを構成できる点でかなり有用であったが、さらにコンパクトなトランスミッションを提供するための技術が要望されていた。また、安価に製造できるトランスミッションの技術も要望されていた。本発明は、上記点に鑑みてなされたものであり、トランスミッションの更なるコンパクト化、及び製造コスト低減を図るための、ミッションケース内の潤滑油を循環させる経路のレイアウトを提供することを目的とする。
【０００４】
【課題を解決するための手段】
本発明の解決しようとする課題は以上の如くであり、次にこの課題を解決するための手段を説明する。
請求項１においては、差動的に相互結合された左右の車軸（４０Ｌ・４０Ｒ）と、該車軸（４０Ｌ・４０Ｒ）への動力を無段変速する二つのＨＳＴ（２５・２８）とを有し、うち一方のＨＳＴ（２５）を作動させたときに左右の車軸（４０Ｌ・４０Ｒ）を同方向に駆動して機体を直進させ、他方のＨＳＴ（２８）を作動させたときに左右の車軸（４０Ｌ・４０Ｒ）に相対回転差を与えて機体を旋回させるように構成された作業車のトランスミッション（Ｍ）において、上記二つのＨＳＴ（２５・２８）はミッションケース（２２）を挟んで向かい合わせに取り付けられ、一方のＨＳＴ（２５）のケース（２５ａ）内部と、他方のＨＳＴ（２８）のケース（２８ａ）内部とは、パイプ部材（７９）を介して連通させており、両ＨＳＴ（２５・２８）の各々のケース（２５ａ・２８ａ）内にて、規定量をオーバーフローした潤滑油は、該パイプ部材（７９）を介して、相互に他方のケース（２５ａ・２８ａ）内部に導入し合流させ、合流した油が規定量以上に達すると、他方のＨＳＴ（２８）のハウジングからミッションケース（２２）内へ排出するように構成したものである。
【０００５】
請求項２においては、請求項１記載の作業車のトランスミッションにおいて、前記二つのＨＳＴ（２５・２８）のうち一方のＨＳＴ（２５）のポンプ軸（２３ａ）により駆動されるチャージポンプ（ＣＰ）の吐出油を、作動油の漏れ分を補償すべく、一方のＨＳＴ（２５）の油補給回路に供給するように構成し、該一方のＨＳＴ（２５）の油補給回路と、他方のＨＳＴ（２８）の油補給回路とをパイプ部材（７８）にて接続したものである。
【０００６】
請求項３においては、請求項１記載の作業車のトランスミッションにおいて、前記一方のＨＳＴ（２５）が機体前進方向へ駆動されるときだけ係合して、刈取ＰＴＯ軸（５５）を駆動するワンウェイクラッチ（７３）を設け、前記他方のＨＳＴ（２８）のハウジング内の油をミッションケース（２２）へ戻す経路の途中から、該刈取ＰＴＯ軸（５５）とワンウェイクラッチ（７３）の潤滑部位を潤滑するための油を分岐させたものである。
【０００７】
請求項４においては、請求項１記載の作業車のトランスミッションにおいて、前記ミッションケース（２２）内の潤滑油によって、上記ＨＳＴ（２５・２８）を潤滑した後、該ミッションケース（２２）の側面に凸状に設けられた油溜め（Ａ）に導入し、該油溜め（Ａ）に設けられた戻し孔（８３）を介して再びミッションケース（２２）に戻すように構成したものである。
【０００８】
請求項５においては、請求項４記載の作業車のトランスミッションにおいて、前記一方のＨＳＴ（２５）から車軸（４０Ｌ・４０Ｒ）へ至る伝動経路中に介在させた変速機構（３２）を、連係して変速操作するための変速操作部（Ｇ）を、上記油溜め（Ａ）に臨ませて配置したものである。
【０００９】
【発明の実施の形態】
以下、本発明の実施例を図面に基づいて説明する。図１は本発明の一実施例に係るコンバインの全体的な構成を示した側面図、図２は同じく平面図、図３は同じく正面模式図である。
【００１０】
まず、図１・図２より、本発明のコンバインの全体構成について説明する。即ち、このコンバインは、トラックフレーム１の左右にクローラ式走行装置２Ｌ・２Ｒを支持した構成であり、３は前記トラックフレーム１に架設する機台、４はフィードチェーン５を左側に張架し、扱胴６及び処理胴７を内蔵している脱穀機である脱穀部、８は刈刃９及び穀稈搬送機構１０等を備える刈取部、１１は刈取フレーム１２を介して刈取部８を昇降させる油圧シリンダである。１３は排藁チェーン１４の終端を臨ませる排藁処理部、１５は揚穀筒１６を介して脱穀部４からの穀粒を搬入する穀物タンク、１７は前記穀物タンク１５の穀粒を機外に搬出する排出オーガ、１８は丸型の操向ハンドル１９を支架するハンドルポスト、６８は主変速レバー、２０は運転席であり、また、２１は、機体左右方向に沿う出力軸を有する原動機たるエンジンであり、コンバインの前方より連続的に穀稈を刈取って脱穀するように構成している。
【００１１】
また、このコンバインには二つの静油圧式無段変速装置（以下「ＨＳＴ」）、即ち、第一無段変速装置である走行系の走行駆動ＨＳＴ２５、及び、第二無段変速装置であるステアリング系のステアリングＨＳＴ２８を具備しており、それぞれのＨＳＴ２５・２８はエンジン２１より駆動力を得るよう構成されている。そして、エンジン２１により駆動力を得た走行駆動ＨＳＴ２５により、正逆の回転方向と回転数増減の制御が行われたのち、駆動力が走行系ドライブトレーンＰを介して差動機構３３に伝達される。一方、エンジン２１により駆動力を得たステアリングＨＳＴ２８により、正逆の回転方向と回転数増減の制御が行われた後、駆動力がステアリング系ドライブトレーンＳ、正逆転付与機構Ｒを介して差動機構に伝達される。
【００１２】
以上の構成とすることにより、差動機構３３に連動連結された左右のクローラ式走行装置２Ｌ・２Ｒの駆動スプロケット３４Ｌ・３４Ｒに駆動力を常時伝達することにより前後直進走行を可能としており、また、左右駆動スプロケット３４Ｌ・３４Ｒに対する回転数の相対的な増減制御により旋回を可能としているのである。以下において、この走行及び旋回の機構について詳述する。
【００１３】
まず、トランスミッションの構成について説明する。図４はトランスミッションの走行系及びステアリング系のドライブトレーンのスケルトン図である。図５はトランスミッションの全体構成を示した正面一部断面図、図６は同じく右側面図、図７は同じく左側面図、図８は同じく平面図である。
【００１４】
即ち、このトランスミッションＭは、図４に示すように、前記クローラ式走行装置２Ｌ・２Ｒを駆動するための走行系ドライブトレーンＰ、ステアリング系ドライブトレーンＳ、正逆転付与機構Ｒ、差動機構３３等をミッションケース２２内に配置しており、該ミッションケース２２上部左右側面には、図５〜図８に示すように、上記二つのＨＳＴ２５・２８を有する無段変速部Ｈを設ける構成としている。上記トランスミッションＭは左右のクローラ式走行装置２Ｌ・２Ｒの間の位置に立設され、そのハウジングであるミッションケース２２は、左右のケース半部２２Ｌ・２２Ｒを垂直な面にて接合して構成され（図５等）、その内部には一定量の潤滑油が充填され、内部に配置された上記の各機構を自然潤滑することとしている。
【００１５】
更に、図５・図７・図８に示すように、トランスミッションＭの上部左方位置には、エンジンからの動力をトランスミッションＭに導入するための入力プーリー２６ｂが配置され、その前下方には、該エンジンからの動力を作業機に伝達して駆動するための刈取出力プーリー５５ｂが配置される。
【００１６】
次に、上記無段変速部Ｈについて説明する。図９はトランスミッションの無段変速部近傍の構成を示した正面断面拡大図である。
【００１７】
即ち、上記無段変速部Ｈは、図９に示すように、一組の走行油圧ポンプ２３及び走行油圧モータ２４からなる主変速機構である、走行駆動ＨＳＴ２５と、一組の旋回油圧ポンプ２６及び旋回油圧モータ２７からなる旋回機構である、ステアリングＨＳＴ２８とからなる。以下、この無段変速部Ｈについて説明する。
【００１８】
即ち、図５・図９に示すように、前記走行用の走行駆動ＨＳＴ２５は、ケース２５ａ及びセンタセクション２５ｂよりなるハウジングをミッションケース２２上部左側面に設け、該ハウジング内において、上から、入力部である走行油圧ポンプ２３、出力部である走行油圧モータ２４の順に並べて配設される構成としている。そして、該走行油圧ポンプ２３のポンプ軸２３ａ及び、該走行油圧モータ２４のモータ軸２４ａの各々が互いに平行となるよう機体左右方向に軸支され、走行油圧ポンプ２３及び走行油圧モータ２４の二者が、センタセクション２５ｂを介して流体的に結合される構成としている。
【００１９】
上記センタセクション２５ｂは、上下方向に配設された長方形平板（フラット）型のセンタセクションとしており、該センタセクション２５ｂの上部にポンプ付設面が形成され、その中央に上記ポンプ軸２３ａが水平方向に支持されて、図９に示すように該ポンプ軸２３ａにシリンダブロック２０１を嵌合して上記付設面上に回転摺動自在に配置している。該シリンダブロック２０１内には、図略の付勢バネを介して複数のピストンをポンプ軸２３ａに平行に往復動自在に嵌合して、アキシャルピストンタイプの走行油圧ポンプ２３を構成しており、更に該ピストンの頭部には可動斜板１４５を当接させて、この可動斜板１４５を傾動操作することで、油圧ポンプ２３からの油の吐出量及び吐出方向を変更できるようにしている。
【００２０】
前記油圧ポンプ２３からの圧油は、センタセクション２５ｂ内の油路を経由して、油圧モータ２４に送油される。この油圧モータ２４の構成は、センタセクション２５ｂのポンプ付設面より下方位置にモータ付設面が構成され、該モータ付設面にシリンダブロック２０２が回転自在に支持され、該シリンダブロック２０２には付勢バネを介して複数のピストンが往復動自在に嵌合され、該ピストンの頭部は固定斜板１７０に接当されている。そして、シリンダブロック２０２の回転軸心上にはモータ軸２４ａが相対回転不能に係止されて、固定斜板型の走行油圧モータ２４を構成している。
【００２１】
また、前記旋回用のステアリングＨＳＴ２８は、ケース２８ａ及びセンタセクション２８ｂよりなるハウジングをミッションケース２２上部右側面に設け、該ハウジング内において、上から、入力部である旋回油圧ポンプ２６、出力部である旋回油圧モータ２７の順に並べて配設される構成としている。そして、該旋回油圧ポンプ２６のポンプ軸２６ａ及び、該旋回油圧モータ２７のモータ軸２７ａの各々が互いに平行となるよう機体左右方向に軸支され、旋回油圧ポンプ２６及び旋回油圧モータ２７の二者が、センタセクション２８ｂを介して流体的に結合される構成としている。
【００２２】
上記センタセクション２８ｂは、長方形平板（フラット）型のセンタセクションとしており、該センタセクション２８ｂの上部にポンプ付設面が形成され、その中央に上記ポンプ軸２６ａが水平方向に支持されて、図９に示すように該ポンプ軸２６ａにシリンダブロック２０３を嵌合して上記付設面上に回転摺動自在に配置している。該シリンダブロック２０３内には図略の付勢バネを介して複数のピストンをポンプ軸２６ａに平行に往復動自在に嵌合して、アキシャルピストンタイプの旋回油圧ポンプ２６としており、更に該ピストンの頭部には可動斜板１４６を当接させて、この可動斜板１４６を傾動操作することで、油圧ポンプ２６からの油の吐出量及び吐出方向を変更できるようにしている。
【００２３】
前記油圧ポンプ２６からの圧油は、センタセクション２８ｂ内の油路を経由して、油圧モータ２７に送油される。この油圧モータ２７の構成は、センタセクション２８ｂのポンプ付設面より下方位置にモータ付設面が構成され、該モータ付設面にシリンダブロック２０４が回転自在に支持され、該シリンダブロック２０４には付勢バネを介して複数のピストンが往復動自在に嵌合され、該ピストンの頭部は固定斜板１７１に接当されている。そして、シリンダブロック２０２の回転軸心上にはモータ軸２７ａが相対回転不能に係止されて、固定斜板型の旋回油圧モータ２７を構成している。
【００２４】
尚、これら二つのＨＳＴ２５・２８の取付構成については、ミッションケース２２上部において左右幅を狭くした部分を凸状に形成し、該部分を挟んで両ＨＳＴ２５・２８の略下半分（油圧モータ２４・２７の周辺部分）のみを対向させて取り付けるようにしている。この構成により、ＨＳＴ２５・２８を取り付けた状態でもトランスミッションＭの左右幅を可及的に小さくできる。また、無段変速部ＨのＨＳＴ２５・２８を容量の異なるものに変更したい場合でも、ミッションケース２２に取り付けられるＨＳＴ２５・２８を交換するのみで足り、ミッションケース２２を新たに設計製造する必要がないようにしている。
【００２５】
次に、両ＨＳＴ２５・２８のポンプ軸及びモータ軸の構成を説明する。即ち、ステアリングＨＳＴ２８の入力軸である、旋回油圧ポンプ２６のポンプ軸２６ａは、ステアリングＨＳＴ２８のケース２８ａから左側へ突出して、該突出部分に入力プーリー２６ｂを固定しており、エンジン２１の出力軸２１ａに固設された出力プーリー２１ｂと、図３及び図４に示すベルト２９を介して連動連結されて、該ポンプ軸２６ａをエンジン動力の入力軸と兼用としている。一方、走行駆動ＨＳＴ２５の入力軸である、走行油圧ポンプ２３のポンプ軸２３ａは、走行駆動ＨＳＴ２５のケース２５ａから右外側へ突出して、該突出部分には上記ＨＳＴ２５・２８の作動油の漏れ分を補償するチャージポンプＣＰを設けている。
【００２６】
また、二つのＨＳＴ２５・２８の各々のケース２５ａ・２８ａの同一側の側面には、走行油圧ポンプ２３に対するコントロールアーム２３ｃ、旋回油圧ポンプ２６に対するコントロールアーム２６ｃがそれぞれ枢設されており、該コントロールアーム２３ｃ、２６ｃの回動に連係して、走行油圧ポンプ２３及び旋回油圧ポンプ２６の可動斜板１４５、１４６（図４・図９）がそれぞれ傾動し、走行油圧モータ２４及び旋回油圧モータ２７の回転速度及び回転方向が制御される。
【００２７】
そして、上記両コントロールアーム２３ｃ・２６ｃには、その中立位置を弾性的に保持するためのデテント機構２３ｄ・２６ｄが配設される。このデテント機構について説明する。即ち、図５に示すように、両ＨＳＴのケース２５ａ・２８ａには回動アーム９２・９２がそれぞれ傾動自在に枢支され、その先端にはローラ９３・９３がそれぞれ回転自在に軸支される。また、該回動アーム９２・９２には付勢バネ９４・９４が弾装されて、ローラ９３・９３を下方向へ付勢している。一方、コントロールアーム２３ｃ・２６ｃにはカムプレート９６・９６が設けられてその上縁を上記ローラ９３・９３が転動可能としており、該カムプレート９６の上縁には凹部９６ａが形設されて、コントロールアーム２３ｃ・２６ｃがそれぞれ中立位置にあるときに、上記凹部９６ａに該ローラ９３が位置するようにして、各ＨＳＴ２５・２８の中立位置を保持するようにしている。
【００２８】
両ＨＳＴ２５・２８は、ミッションケース２２上部を挟んで左右対向して設けられており、両ＨＳＴ２５・２８のポンプ軸２３ａ・２６ａは互いに軸線が一致するよう配置され、両ポンプ軸２３ａ・２６ａはそれぞれセンタセクション２５ｂ・２８ｂを貫通して（図９）、ミッションケース２２中央部分で突き合わされて、両センタセクション２５ｂ・２８ｂ間位置にて両ポンプ軸２３ａ・２６ａの先端同士を継手９５を介して相対回転不能に連結する構成としている。この構成により、入力プーリー２６ｂからステアリングＨＳＴ２８のポンプ軸２６ａに入力されたエンジン２１の動力は、継手９５を介して走行駆動ＨＳＴ２５のポンプ軸にも伝達され、両ＨＳＴ２５・２８が同一のエンジン動力を得て駆動するようにしている。
【００２９】
また、図９に示すように、両ＨＳＴ２５・２８のセンタセクション２５ｂ・２８ｂ間には、第一筒部９８と第二筒部９９とを油密的に相互嵌合してなるケースメンバが架設される。上記両ポンプ軸２３ａ・２６ａ及び継手９５は、上記のケースメンバにて覆われ、該ケースメンバ内に潤滑油を封入しておくことで、両ポンプ軸２３ａ・２６ａ及び継手９５を潤滑することができ、両ポンプ軸２３ａ・２６ａの相互連結状態が、長期間にわたって良好に維持できる。
【００３０】
また、両ＨＳＴ２５・２８のモータ軸２４ａ・２７ａも互いに軸線が一致するよう配置されて、図９に示すように両モータ軸２４ａ・２７ａはそれぞれセンタセクション２５ｂ・２８ｂを貫通して、ミッションケース２２内へ挿入される。そして、図９に示すように、走行駆動ＨＳＴ２５のモータ軸２４ａ先端には、走行系ドライブトレーンＰへの動力を受け入れる入力ギア４２を配置する一方、ステアリングＨＳＴ２８のモータ軸２７ａ先端には、ステアリング系ドライブトレーンＳへの動力を受け入れる入力ギア９７を配置している。
【００３１】
次に、各ドライブトレーンの具体的な構成について説明する。図１０はトランスミッションの走行系ドライブトレーンの構成を表した正面断面展開図、図１１はトランスミッションのステアリング系ドライブトレーンの構成を表した正面断面展開図である。図１２はトランスミッションの各ドライブトレーンのギアの噛み合いを示した側面断面図である。図１３はＰＴＯ系ドライブトレーンの構成を表した平面断面展開図である。
【００３２】
即ち、図９〜図１１に示すように、上記両モータ軸２４ａ・２７ａと平行に一本のカウンター軸４３が配置され、該カウンター軸４３には二つの伝達ギア４３ａ・４３ｂが相対回転自在に遊嵌配置され、伝達ギア４３ａは上記入力ギア４２に噛合され、伝達ギア４３ｂは上記入力ギア９７に噛合される。ここで、二つの伝達ギア４３ａ・４３ｂは、共通の軸（本実施例ではカウンター軸４３）に遊嵌配置されるようにしており、別々の軸に伝達ギア４３ａ・４３ｂをそれぞれ設ける構成よりも、部品点数が削減され、製造コストの低減を図ることができるようにしている。
【００３３】
この構成により、上記走行油圧モータ２４のモータ軸２４ａの動力は、入力ギア４２から伝達ギア４３ａへと伝達され、後述の副変速機構３２を介して変速されて、後述の差動機構３３に伝達される（図１０・図１２）。この入力ギア４２・伝達ギア４３ａ・副変速機構３２により、走行系ドライブトレーンＰが構成される。一方、上記旋回油圧モータ２７のモータ軸２７ａの動力は、入力ギア９７から伝達ギア４３ｂへと伝達され、後述のクラッチ装置Ｃを経た後、正逆転付与機構Ｒを経由して該差動機構３３に伝達される（図１１・図１２）。この入力ギア９７・伝達ギア４３ｂ・クラッチ装置Ｃ・正逆転付与機構Ｒにより、ステアリング系ドライブトレーンＳが構成される。
【００３４】
また、図１２・図１３に示すように、ＰＴＯアイドル軸７０が上記カウンター軸４３の前方（図１２における右方、図１３における上方）に平行に配置され、該ＰＴＯアイドル軸７０上にはアイドルギア７１が遊転可能に設置され、該アイドルギア７１は上記伝達ギア４３ａに噛合される。更に、上記ＰＴＯアイドル軸７０と平行でモータ軸２４ａ・２７ａの前方に刈取ＰＴＯ軸５５が回転自在に軸支され、該刈取ＰＴＯ軸５５上には伝動ギア７２が遊嵌され、該伝動ギア７２と該刈取ＰＴＯ軸５５の間にはワンウェイクラッチ７３が介設され、走行駆動ＨＳＴ２５が機体前進方向へ駆動されるときだけ係合して刈取ＰＴＯ軸５５を駆動できるようにしている。これらアイドルギア７１、伝動ギア７２等により、ＰＴＯ系ドライブトレーンＯが構成される。そして、上記刈取ＰＴＯ軸５５は、ミッションケース２２の左側面より外方へ突出されて（図１３）、この左側面に取付固定した筒状のケース７４に軸支されながら更に左方へ延出されて、その端部には刈取出力プーリー５５ｂが設けられ、該刈取出力プーリー５５ｂと、図３で示す刈取入力ギアボックス１２０の刈取入力プーリー１２１との間には、刈取伝動ベルト１２２が巻回されている（図３・図１３）。この構成により、走行油圧モータ２４の出力回転は、伝達ギア４３ａ→アイドルギア７１→刈取ＰＴＯ軸５５へと伝達されて刈取出力プーリー５５ｂから出力され、刈取入力ギアボックス１２０へ動力を導入して上記刈取部８を駆動することとしている。
【００３５】
また、図１３に示すように、上記筒状のケース７４の先端側には、ベルトガイド取付ステー７４ａが突設され、該ベルトガイド取付ステー７４ａにはベルトガイド７６を設けて、ベルト１２２の折り返し部分を覆って保護するようにしている。更に、ステアリングＨＳＴ２８のケース２８ａに補強ステー７５の基端側を固設し、先端側は上記筒状のケース７４の先端部及びベルトガイド７６に取付固定され、該筒状のケース７４を該補強ステー７５により支持して、倒れを防止するようにしている。
【００３６】
上記構成により、刈取ＰＴＯ軸を延出してその先端に刈取出力プーリー５５ｂを取り付けることにより、他の部品（本実施例においては、ステアリングＨＳＴのケース）と干渉しないように該刈取出力プーリーを配置することができる。さらに、該刈取ＰＴＯ軸は筒状のケースにより支持されているので、撓み等の問題が軽減され、更にケースに補強ステーを取り付けることにより、ケースの倒れが防止される構成としている。そして、該筒状のケースにベルトガイドを取り付けることにより、ベルトガイドの取付構成も簡素とすることができるのである。
【００３７】
次に、図１０・図１２、左右の車軸を差動的に連結する上述の差動機構３３の構成について説明する。
【００３８】
即ち、この差動機構３３は左右の一対の遊星歯車装置３５Ｌ・３５Ｒを有し、各遊星歯車装置３５Ｌ・３５Ｒは、サンギア軸３９に刻設されるサンギア３６と、該サンギア３６の外周で噛合する複数のプラネタリギア３７・３７・・・と、リングギア３８Ｌ・３８Ｒに一体構成されプラネタリギア３７・３７・・・に噛合するインターナルギア５８Ｌ・５８Ｒと、サンギア軸３９と同軸線上の車軸４０Ｌ・４０Ｒに固設されプラネタリギア３７Ｌ・３７Ｒを枢支するキャリア４１Ｌ・４１Ｒから構成されている。該プラネタリギア３７・３７・・・は車軸４０Ｌ・４０Ｒから放射状に均等配置されてキャリア４１Ｌ・４１Ｒにそれぞれ回転自在に軸支され、サンギア３６を挟んで左右のキャリア４１Ｌ・４１Ｒを配置させるとともに、前記インターナルギア５８Ｌ・５８Ｒは各プラネタリギア３７・３７・・・に噛合され、サンギア軸３９と同軸線上に配置して、車軸４０Ｌ・４０Ｒに回転自在に軸支させている。
【００３９】
そして、上記サンギア３６は、左右の遊星歯車装置３５Ｌ・３５Ｒに共通のサンギアとしており、サンギア３６は、共通のサンギア軸３９に一体的に刻設され、両サンギア３６の中間部に係止したセンタギア４６を介して、副変速機構３２等からなる走行系ドライブトレーンＰに連動連結される。
【００４０】
次に、上述の副変速機構３２について説明する。図１４はクラッチフォークシャフトの構成を示した側面断面拡大図、図１５はクラッチスライダの摺動操作機構を示した後面断面展開図、図１６は同じく側面断面図である。
【００４１】
即ち、図１０・図１２に示すように、この副変速機構３２は歯車変速装置であり、走行駆動ＨＳＴ２５から車軸４０Ｌ・４０Ｒへ至る伝動経路である走行系ドライブトレーンＰ中に介在させるものであって、上記カウンター軸４３と平行に副変速駆動軸５３が配置され、該副変速駆動軸５３の一端に入力用ギア４４を固定し、該副変速駆動軸５３上には低速用ギア５０、中速用ギア５１を固定し、高速用ギア５２を遊嵌し、該高速用ギア５２と噛合可能なクラッチスライダ８１を摺動可能にスプライン嵌合している。また、前記副変速駆動軸５３と平行に回転自在に横架した副変速従動軸４５上には、ギア４７・４８を遊嵌し、その間にクラッチスライダ８０をギア４７・４８に択一的に係脱自在となるよう該副変速従動軸４５にスプライン嵌合し、更にギア５６及び出力ギア４９を刻設している。そして、ギア４７と低速用ギア５０、ギア４８と中速用ギア５１、ギア５６と高速用ギア５２とをそれぞれ常時嵌合させている。
【００４２】
そして図１４・図１５に示す如く、これら二つのクラッチスライダ８０・８１は、後述のクラッチスライダ６１ｃともに、クラッチフォークシャフト８２に放射状に植設された三つのクラッチフォーク８２ｆの各々に係合され、該クラッチフォークシャフト８２は軸方向に摺動自在とされる。そして、操作部に配設された副変速操作手段の切替に連動して該クラッチフォークシャフト８２を摺動することにより上記副変速機構３２を変速操作するための副変速操作部Ｇが、図１０・図１５に示す如く設けられる。即ち、ミッションケース右側半部２２Ｒの外面に凹部が設けられ、該凹部を閉じるべく蓋体８７が凸状に被装されて内部に油溜めＡを形成し、図１５・図１６に示すように支軸８４をクラッチフォークシャフト８２に対して直交させるように配置して上記蓋体８７に回動自在に軸支する一方、上記油溜めＡ内にクラッチフォークシャフト８２の一端が突出され、上記支軸８４に基端を固設された操作アーム８５の先端にクラッチフォークシャフト８２の該突出部分が連結され、支軸８４は蓋体８７の外部（ミッションケース２２外）に突出されて、該突出部分には外部アーム８６の基端が固設されている。また、クラッチフォークシャフト８２には変速位置決めのためのデテント機構Ｄが設けられている。
【００４３】
従って、該副変速レバーが操作されることで外部アーム８６を介して支軸８４が回動され、操作アーム８５に連結されたクラッチフォークシャフト８２が軸方向に摺動して、クラッチフォーク８２ｆに係合されたクラッチスライダ８０・８１が、図１０〜図１２に示す各々の軸５３、４５上を同時に摺動して、クラッチスライダ８０、８１のいずれか一つがギア４７、ギア４８、高速用ギア５２のいずれか一つと係合するように構成され、これにより、副変速従動軸４５に三段階の変速回転が得られ、該回転が出力ギア４９から出力されるのである。
【００４４】
上記デテント機構Ｄは、前記凹部の内壁に挿入固定されるカートリッジ８８ｃ内に大デテントボール８８ａを配置して付勢バネ８８ｄで付勢し、更に小デテントボール８８ｂを大デテントボール８８ａに当接させてカートリッジ８８ｃの開口にその一部が突出するように配置する一方、上記クラッチフォークシャフト８２の一端には上記小デテントボール８８ｂの突出部に係合可能としたデテント溝８２ａを、（変速段数＋中立位置）の個数分だけ軸方向に沿って設ける構成としている。従って、大デテントボール８８ａが付勢バネ８８ｄにより付勢され、小デテントボール８８ｂを係合方向に常時押動しているので、小デテントボール８８ｂがデテント溝８２ａに係合することにより、副変速の摺動操作の位置決めが可能な構成となっている。また、付勢バネは大デテントボール８８ａを介して間接的に小デテントボール８８ｂを付勢しているので、小さい巻き径の付勢バネを必要としない構成となっている。
【００４５】
次に、上記のような構成としたトランスミッションＭにおいて、駆動力の伝達の様子について説明する。即ち、走行油圧モータ２４のモータ軸２４ａの回転出力が図１０・図１２に示すように入力ギア４２→伝達ギア４３ａ→副変速機構３２と伝達され、該副変速機構３２において変速したのち出力ギア４９→カウンター軸５７上のカウンターギア５４→センタギア４６と伝達されて、サンギア軸３９を回転駆動させる。そして、該駆動力をサンギア３６から左右の遊星歯車装置３５Ｌ・３５Ｒを介し車軸４０Ｌ・４０Ｒに伝達させることにより、左右の駆動スプロケット３４Ｌ・３４Ｒを同一方向に回転駆動させ、クローラ式走行装置２Ｌ・２Ｒを駆動させるのである。
【００４６】
一方、図１１・図１２に示すように、左右の前記リングギア３８Ｌ・３８Ｒは、上記ステアリング系ドライブトレーンＳに連動連結されており、さらに、旋回用のステアリングＨＳＴ２８の出力軸２７ａに固設される入力ギア９７がステアリング系ドライブトレーンＳの入力部に連動連結されている。
【００４７】
そして、図１１・図１２に示すように、旋回用のステアリングＨＳＴ２８の旋回油圧モータ２７の回転出力は、出力軸２７ａから入力ギア９７→カウンター軸４３上の伝達ギア４３ｂ→入力用の伝動ギア９１と伝達され、旋回入力軸９０、クラッチ装置Ｃを介してクラッチ軸６１へと伝達される。
【００４８】
以下に、上記クラッチ装置Ｃについて説明する。即ち、図１１に示すように、前記旋回入力軸９０には同歯数の駆動ギア９０ａ・９０ｂが固定され、また、クラッチ軸６１上には、該駆動ギア９０ａ・９０ｂと常時噛合するクラッチギア６１ａ・６１ｂが遊嵌配置されている。そして、両クラッチギア６１ａ・６１ｂの間に、該クラッチギア６１ａ・６１ｂの各々に対して係脱自在なクラッチスライダ６１ｃを、クラッチ軸６１と相対回転不能で、かつ軸方向摺動自在に設けて、前記クラッチ装置Ｃを構成している。このクラッチスライダ６１ｃは前述のクラッチフォークシャフト８２に連結され、副変速機構３２が中立位置にあるときにはクラッチギア６１ａ・６１ｂのいずれとも係合せず、副変速機構３２が一速から三速までの伝動状態にあるときのみ係合して旋回入力軸９０からの動力をクラッチ軸６１に伝達し、クラッチ軸６１と一体的に設けられた出力ギア６４より、減速ギア６３Ｌ・６３Ｒへ出力するように構成されている。
【００４９】
上記減速ギア６３Ｌ・６３Ｒは大径ギア・小径ギアを一体的に構成した二連ギアとしており、それぞれ減速軸６３上に配置されて遊転可能に支持され、上記出力ギア６４に両ギア６３Ｌ・６３Ｒの大径ギアが噛合される。そして、一の減速ギア６３Ｒの小径ギアはリングギア３８Ｒに噛合される一方、他の減速ギア６３Ｌの小径ギアは、アイドル軸６２上の逆転ギア６２ａに噛合され、該逆転ギア６２ａは上記差動機構３３のリングギア３８Ｌに噛合される。
【００５０】
この構成で、出力ギア６４の回転は二つの減速ギア６３Ｌ・６３Ｒに分岐されて伝達された後、一の減速ギア６３Ｒの回転は直接的に上記差動機構のリングギア３８Ｒに伝達され、他の減速ギア６３Ｒの回転は上記逆転ギア６２ａにより正逆変換されて、上記差動機構のリングギア３８Ｌに伝達される。このようにして、旋回油圧モータ２７の回転出力が分岐されて、互いに逆方向かつ等速とされて、左右のリングギア３８Ｌ・３８Ｒへ伝達されるのである。これら逆転ギア６２ａ、減速ギア６３Ｌ・６３Ｒ等により、正逆転付与機構Ｒが構成される。
【００５１】
ここで、図１２に示すように、走行系ドライブトレーンＰはミッションケース２２略後半部に略上下方向に配設され、ステアリング系ドライブトレーンＳはミッションケース２２略前半部において略上下方向に配設される一方、上記出力ギア６４の回転を逆転して差動機構のリングギア３８Ｒに伝達する逆転ギア６２ａは、出力ギア６４の回転を直接的に差動機構のリングギア３８Ｌに伝達する減速ギア６３Ｒよりも、後方寄りの位置に設けている。即ち、走行系の駆動伝達経路Ｐと、ステアリング系の駆動伝達経路Ｓのうち正転側の伝達経路とに挟まれた位置に、上記逆転ギアを設ける構成としているのである。従って、二つの動力伝達経路の間のスペースに逆転ギア６２ａを納まり良く配置することができるので、ミッションケースの幅（本実施例では、前後方向の幅）が小さい、コンパクトなトランスミッションを提供できるのである。
【００５２】
そして、このような構成で、走行油圧ポンプ２３の可動斜板１４５に対するコントロールアーム２３ｃが、運転席近傍に配備した走行操作具である主変速レバー６８に図外のリンク機構を介して連動連係されており、走行駆動ＨＳＴ２５は該主変速レバー６８の回動操作により可動斜板１４５の傾斜角度が変更されて走行油圧モータ２４の正逆の回転方向と回転数増減及び回転停止の制御を行う。また、旋回油圧ポンプ２６の可動斜板１４６に対するコントロールアーム２６ｃが操向ハンドル１９に図外のリンク機構を介して連動連係されており、旋回用のステアリングＨＳＴ２８は該操向ハンドル１９の回動により可動斜板１４６の傾斜角度が変更されて旋回油圧モータ２７の正逆の回転方向と回転数増減及び回転停止の制御を行うよう構成されている。
【００５３】
そして、操向ハンドル１９を直進走行（中立）位置におくと、旋回油圧ポンプ２６が中立位置となり、旋回油圧モータ２７の駆動が停止して左右のリングギア３８Ｌ・３８Ｒが静止固定された状態となり、該状態で主変速レバー６８にて走行油圧ポンプ２３より圧油を吐出させて走行油圧モータ２４を駆動すると、その回転はセンタギア４６からサンギア３６を介して左右の遊星歯車装置３５Ｌ・３５Ｒのプラネタリギア３７Ｌ・３７Ｒに伝達され、キャリア４１Ｌ・４１Ｒ、車軸４０Ｌ・４０Ｒを介し、左右の駆動スプロケット３４Ｌ・３４Ｒが左右同回転方向の同一回転数で駆動されて、機体の前進直進走行が行われる。また、主変速レバー６８にて走行油圧ポンプ２３からの圧油吐出方向を反転させると、前記と逆方向の駆動力が伝達され、機体は後方へ直進走行を行う。
【００５４】
そして、操向ハンドル１９を右に切ると、旋回油圧ポンプ２６は作動状態となって圧油を吐出し、該圧油を受けて旋回油圧モータ２７が駆動される。該旋回油圧モータ２７から出力された動力は旋回入力軸９０からクラッチ装置Ｃを経て、同一回転数のまま二手に分岐され、その一方は前記遊星歯車装置３５Ｌのリングギア３８Ｌを正転させ、他方は遊星歯車装置３５Ｒのリングギア３８Ｒを逆転させる。正転するリングギア３８Ｌの回転数はサンギア３６によって正転している左キャリア４１Ｌの回転数に加算される一方、逆転するリングギア３８Ｒの回転数はサンギア３６によって正転している右キャリア４１Ｒの回転数に減算される。これによって両駆動スプロケット３４Ｌ・３４Ｒの駆動状態を維持しつつ、左の駆動スプロケット３４Ｌの回転数が右の駆動スプロケット３４Ｒのそれよりも高くなって、右方へ進路が変更されるのである。
【００５５】
旋回油圧ポンプ２６からの吐出油量は操向ハンドル１９の切れ角度が大きくなるに従って増加し、これに応じて旋回油圧モータ２７の回転数も無段に増加するので、左右の駆動スプロケット３４Ｌ・３４Ｒに生じる相対回転差は次第に大きくなり、より小さな旋回半径で機体が旋回することとなる。また、操向ハンドル１９を左に切ると、旋回油圧ポンプ２６の圧油吐出方向が反転して旋回油圧モータ２７の回転方向が逆になり、これによって最終的に、左キャリア４１Ｌの回転数が減算される一方、右キャリア４１Ｒの回転数が加算されて、右の駆動スプロケット３４Ｒの回転数が左の駆動スプロケット３４Ｌのそれよりも高くなって左方へ進路が変更されることとなる。
【００５６】
また、ステアリング系ドライブトレーンＳの経路に配置された旋回入力軸９０には、直進性を良好とするための中立ブレーキ機構Ｂが、図１１に示す如く配設されている。この中立ブレーキ機構Ｂは、旋回入力軸９０上に一体的に装着された摩擦板とミッションケース２２側に装着された摩擦板とが重合してなる摩擦ブレーキ１００、及び該摩擦ブレーキ１００を押圧するピストン１０１により構成される。該ピストン１０１は油圧駆動とされ、電磁弁（図５・図７における１８０）により圧油の供給が行われ、該電磁弁１８０は図示せぬコントローラに接続されて、操向ハンドル１９が中立状態にあるときは該電磁弁１８０が開かれるように電気的に制御されている。
【００５７】
このような構成において、オペレータが操向ハンドル１９を直進走行（中立）位置におくと、電磁弁１８０は「開」となるようコントローラにより制御され、ピストン１０１が駆動されて摩擦ブレーキ１００を押圧して、制動作用が発生する。これにより、旋回油圧ポンプ２６の中立位置が正確に出ておらず、旋回油圧モータ２７が微動に回転しようとしても、旋回入力軸９０が制動されているので、左右のリングギア３８Ｌ・３８Ｒの静止固定状態が維持され、直進性が良好に維持されるのである。
【００５８】
続いて、図示せぬハンドブレーキを操作することにより走行系ドライブトレーンＰに制動力を付与させる駐車ブレーキ機構Ｔについて、図１０を用いて説明する。即ち、まず、図外のハンドブレーキに連動連結したブレーキアーム１１３を回動操作すると、カム軸１１０が該ブレーキアーム１１３に連動して回転する。そしてカム軸１１０の回転によりプレッシャープレート１１１が回動するとともに右方向（図１０における左方向）への推力が発生して、副変速従動軸４５上に一体的に装着された摩擦板とミッションケース２２側に装着された摩擦板とが重合してなる多板式摩擦ブレーキ１１２を押圧する。この押圧力により、副変速従動軸４５に抵抗を与え、ブレーキ作用を発生させるよう構成しているのである。
【００５９】
次に、上記構成のトランスミッションＭにおけるオイルフローについて、主に図１７を参照しながら説明する。図１７はトランスミッションの潤滑油の流れを表した図である。
【００６０】
図５・図８・図１２に示すように、ミッションケース２２の上面の機体前方寄りの位置に筒体１９１が立設され、該筒体１９１の上端にはブリーザ機構を有するキャップ１９０が取り付けられている。従って、筒体１９１を介してミッションケース２２内の潤滑油の油面より十分高い位置にキャップ１９０が設けられるので、ミッションケース２２内に配設された各ドライブトレーンを構成する歯車等が潤滑油を跳ね上げても、該キャップ１９０の高さまでは届かないようにして、該キャップ１９０から潤滑油が漏れ出ないようにしている。また、本実施例のように、ミッションケース２２の左右側面にＨＳＴ２５・２８を有する構成においては、キャップ１９０の取付位置がＨＳＴ２５・２８のケース２５ａ・２８ａ等と干渉しないので、すっきりとした配置とすることができ、潤滑油の補給作業等も機体前方から楽に行うことができる。
【００６１】
図５・図１２に示すように、ミッションケース２２内に作動油のサクション油路１０５がミッションケース２２の前壁内側に上下方向へ沿うようにして一体的に形設され、その上端部に設けた室内にはストレーナ１０６が横架される。このストレーナ１０６は機体前方側でクローラ式走行装置２Ｌ・２Ｒの上方に配置されており、ミッションケース２２側方から室外へ抜差し可能として点検や交換等のメンテナンスが容易にできるようにしている。そして、サクション油路１０５内を吸い上げられて上記ストレーナ１０６にて異物等を除去された潤滑油は、二手に分岐され、そのうち一方はチャージポンプＣＰの吸入ポートに配管Ｐ１を介して導入され（図５・図８）、該チャージポンプＣＰの吐出ポートから配管Ｐ２を介して吐出された潤滑油は、ラインフィルタＦ、配管Ｐ３、管継手Ｊ１を介して、走行駆動ＨＳＴ２５のセンタセクション２５ｂ上面から該センタセクション２５ｂ内の油補給回路に導入される。また、配管Ｐ０の末端で二分された他方は、図８に示す配管Ｐ９を介して、エンジン２１の出力軸２１ａに設けられる刈取部昇降用ポンプＳＰの吸入ポートに導入され、該ポンプＳＰの吐出ポートから吐出された油は、上記刈取昇降用油圧シリンダ１１を作動させるための昇降バルブユニットＶＵに、ポンプポート１５３を介して導入される。
【００６２】
昇降バルブユニットＶＵにて、刈取昇降用油圧シリンダ１１に作動油を供給する回路には、図１７に示すように、方向制御弁１４７、ロードチェック弁１３４、スローリターン弁１３５が配設され、刈取昇降用油圧シリンダ１１に対する作動油の供給と排出を制御し、シリンダポート１５５を介して刈取昇降用油圧シリンダ１１に対する作動油を給排可能としている。また、リリーフ弁１４８により刈取昇降用油圧シリンダ１１の作動油圧を規定している。そして、刈取昇降用油圧シリンダ１１側から排出された作動油は、タンクポート１５４から配管Ｐ８を介して、後述のワンウェイクラッチ潤滑部Ｗへ導入される。
【００６３】
一方、走行駆動ＨＳＴ２５のセンタセクション２５ｂ内の作動油循環回路には油補給回路が接続して設けられ、該油補給回路の入口には、油の補給時にのみ開く一対のチェックバルブ１３０、ＨＳＴの中立範囲を拡大するための絞り１３１が並列接続して配置される。また、ステアリングＨＳＴ２８のセンタセクション２８ｂ内の作動油循環回路にも、同様に油補給回路が接続して設けられ、該油補給回路の入口には、チェックバルブ１３２、絞り１３３が並列接続して配置される。
【００６４】
そして、図９・図１２に示すように、走行駆動ＨＳＴ２５とステアリングＨＳＴ２８におけるセンタセクション２５ｂ、２８ｂの向かい合った内面の間には直線状のパイプ部材７８・７９が上下二本平行に横架してあり、上記管継手Ｊ１から油補給回路へ導入された潤滑油は、走行駆動ＨＳＴ２５の走行油圧ポンプ２３・モータ２４からの油漏れによる作動油の減少を解消すると同時に、図９に示す上記二本のパイプ部材のうち上側のパイプ部材７８を経由して、一旦、走行駆動ＨＳＴ２５外へ出てからステアリングＨＳＴ２８のセンタセクション２８ｂ内の油補給回路に導入される。これにより、ステアリングＨＳＴ２８の旋回油圧ポンプ２６・モータ２７からの油漏れによる作動油の減少を解消する。このセンタセクション２８ｂ内の油補給回路へ導入される油は、ミッションケース２２外の外気にさらされるパイプ部材７８を通過するときに冷却される。尚、冷却効率を高くするには、パイプ部材７８の外周面に多数のフィンを設ける構成とすれば良い。
【００６５】
そして、両ＨＳＴ２５・２８のチャージ圧（補給油圧）を規定する単一のチャージリリーフバルブ１４３がステアリングＨＳＴ２８のセンタセクション２８ｂ内に設けられており、該バルブ１４３によりリリーフされた油や旋回油圧ポンプ２６・モータ２７より漏れた油は、ステアリングＨＳＴ２８のケース２８ａ内に導入されて、走行油圧ポンプ２６・モータ２７の潤滑及び冷却を行う。また、走行駆動ＨＳＴ２５内の走行油圧ポンプ２３・モータ２４より漏れた油は、走行駆動ＨＳＴ２５内のケース２５ａ内に導かれて、走行駆動ＨＳＴ２５の走行油圧ポンプ２３・モータ２４の潤滑及び冷却を行う。
【００６６】
上記走行駆動ＨＳＴ２５のケース２５ａ内部とステアリングＨＳＴ２８のケース２８ａ内部は、図９に示す上記二本のパイプ部材７８・７９のうち下側のパイプ部材７９にて連通されており、両ＨＳＴ２５・２８の各々においてケース２５ａ・２８ａ内にて規定量をオーバーフローした潤滑油は、該下側のパイプ部材７９を介して相互にケース２５ａ・２８ａ内部に導入されて合流する。
【００６７】
上記ステアリングＨＳＴ２８のセンタセクション２８ｂ内の油補給回路の油は、管継手Ｊ２からセンタセクション２８ｂより外方へ導かれ、配管Ｐ４、及び、上述の電磁弁（図５・図７における符号１８０）を介して上記中立ブレーキ機構Ｂに導入され、上述のように、該電磁弁１８０の操作により上記ピストン１０１を押圧する作動油としての役割を果たし、中立ブレーキ機構Ｂの制動を行う。
【００６８】
また、ステアリングＨＳＴ２８のケース２８ａ内で合流した油が規定量以上に達すると、該ケース２８ａ上面に設けられた管継手Ｊ３（図５・図７〜図１０）から、配管Ｐ５・管継手Ｊ４を介して、ワンウェイクラッチ潤滑部Ｗへ導入される。このワンウェイクラッチ潤滑部Ｗは、図６・図８・図１３に示すように、ミッションケース右側半部２２Ｒの外面に設けた油導入ケース７７内に設けられるものであって、該油導入ケース７７には、上記ステアリングＨＳＴ２８のケース２８ａ内から配管Ｐ５を介して潤滑油を導入する管継手Ｊ４と、上述の刈取昇降用油圧シリンダ１１を制御するバルブユニットＶＵからの戻り油を配管Ｐ８を介して導入する管継手Ｊ５が螺着され、両管継手Ｊ４・Ｊ５から導入される油がこのワンウェイクラッチ潤滑部Ｗ内にて合流される。そして、図１３に示す如く、上記刈取ＰＴＯ軸５５の一端面はワンウェイクラッチ潤滑部Ｗに臨ませてあり、該刈取ＰＴＯ軸５５内に形設された油路８９を上記ワンウェイクラッチ潤滑部Ｗに開放連通して、該潤滑部Ｗ内に導入された油の一部は、該油路８９を介して刈取ＰＴＯ軸５５の潤滑部位たるワンウェイクラッチ７３を潤滑してミッションケース２２内に戻される。
【００６９】
一方、上記油導入ケース７７には上記二つの管継手Ｊ４・Ｊ５のほかに更にもう一つの管継手Ｊ６が設けられており、上記油路８９へ導入されない残りの潤滑油は、図６に示す該管継手Ｊ６、配管Ｐ７を介して、図６及び図１６に示す管継手Ｊ７から上記油溜めＡ内へ導入され、上記の副変速操作機構Ｇの支軸８４やデテント機構Ｄ等を潤滑した後、ミッションケース右側半部２２Ｒの凹部内に設けた戻し孔８３（図６・図１６）を経由してミッションケース２２内に戻される。
【００７０】
この構成とすることにより、ミッションケース２２から走行駆動ＨＳＴ２５及びステアリングＨＳＴ２８（又は刈取部昇降バルブユニットＶＵ）を経て、各機構を潤滑したのち再びミッションケース２２内に戻される、潤滑油の流れが形成されるのである。
【００７１】
以上に本発明の実施例を説明したが、本発明の技術的範囲は上記の実施例に限定されるものではなく、本明細書及び図面に記載した事項から明らかになる本発明が真に意図する技術的思想の範囲全体に、広く及ぶものである。
【００７２】
【発明の効果】
本発明は、以上のように構成したので、以下に示すような効果を奏する。
請求項１に示す如く、差動的に相互結合された左右の車軸（４０Ｌ・４０Ｒ）と、該車軸（４０Ｌ・４０Ｒ）への動力を無段変速する二つのＨＳＴ（２５・２８）とを有し、うち一方のＨＳＴ（２５）を作動させたときに左右の車軸（４０Ｌ・４０Ｒ）を同方向に駆動して機体を直進させ、他方のＨＳＴ（２８）を作動させたときに左右の車軸（４０Ｌ・４０Ｒ）に相対回転差を与えて機体を旋回させるように構成された作業車のトランスミッション（Ｍ）において、上記二つのＨＳＴ（２５・２８）はミッションケース（２２）を挟んで向かい合わせに取り付けられ、一方のＨＳＴ（２５）のケース（２５ａ）内部と、他方のＨＳＴ（２８）のケース（２８ａ）内部とは、パイプ部材（７９）を介して連通させており、両ＨＳＴ（２５・２８）の各々のケース（２５ａ・２８ａ）内にて、規定量をオーバーフローした潤滑油は、該パイプ部材（７９）を介して、相互に他方のケース（２５ａ・２８ａ）内部に導入し合流させ、合流した油が規定量以上に達すると、他方のＨＳＴ（２８）のハウジングからミッションケース（２２）内へ排出するように構成したので、二つのＨＳＴをミッションケースを挟んで取り付けることによりトランスミッション全体のコンパクト化を図ることが可能となり、更に、パイプ部材（７９）による簡素な構成により、二つのうち一方のＨＳＴを潤滑及び冷却した油にて他方のＨＳＴを潤滑及び冷却させることでき、二つのＨＳＴを効率よく潤滑及び冷却させることができるのである。
【００７３】
請求項２に示す如く、請求項１記載の作業車のトランスミッションにおいて、前記二つのＨＳＴ（２５・２８）のうち一方のＨＳＴ（２５）のポンプ軸（２３ａ）により駆動されるチャージポンプ（ＣＰ）の吐出油を、作動油の漏れ分を補償すべく、一方のＨＳＴ（２５）の油補給回路に供給するように構成し、該一方のＨＳＴ（２５）の油補給回路と、他方のＨＳＴ（２８）の油補給回路とをパイプ部材（７８）にて接続したので、二つのＨＳＴをミッションケースを挟んで取り付けることによりトランスミッション全体のコンパクト化を図ることが可能となり、更に、一方のＨＳＴの入力軸によりチャージポンプを駆動する構成であるから、チャージポンプへの駆動力の伝達構成が簡略化されることとなる。
更には、チャージポンプの吐出油が一方のＨＳＴの回路に供給されると同時に、他方の回路へはパイプ部材を介して供給されるので、チャージポンプの吐出ポートを二つのＨＳＴの上記回路のうち一の回路のみに接続すれば、二つのＨＳＴ両方の作動油の漏れ分を補償できる構成となるので、チャージポンプを二つ設けてそれぞれのＨＳＴの回路に接続する構成や、一つのチャージポンプの吐出ポートから二つのＨＳＴの回路に分岐して接続する構成に比して、チャージポンプの個数や、配管の本数や長さが簡略化されて、トランスミッションのコンパクト化や製造コストの低減を図ることが可能となるのである。
【００７４】
請求項３に示す如く、請求項１記載の作業車のトランスミッションにおいて、前記一方のＨＳＴ（２５）が機体前進方向へ駆動されるときだけ係合して、刈取ＰＴＯ軸（５５）を駆動するワンウェイクラッチ（７３）を設け、前記他方のＨＳＴ（２８）のハウジング内の油をミッションケース（２２）へ戻す経路の途中から、該刈取ＰＴＯ軸（５５）とワンウェイクラッチ（７３）の潤滑部位を潤滑するための油を分岐させたので、ＨＳＴのハウジング内に導入されたＨＳＴを潤滑・冷却した後の戻り油を、刈取ＰＴＯ軸の該潤滑部位を潤滑する目的にも利用することができ、そのための構成も該戻り油の経路を分岐させるだけでよい簡略な構成であるので、油の循環経路をすっきりしたレイアウトにて構成できるのである。
【００７５】
請求項４に示す如く、請求項１記載の作業車のトランスミッションにおいて、前記一方のＨＳＴ（２５）が機体前進方向へ駆動されるときだけ係合して、刈取ＰＴＯ軸（５５）を駆動するワンウェイクラッチ（７３）を設け、前記他方のＨＳＴ（２８）のハウジング内の油をミッションケース（２２）へ戻す経路の途中から、該刈取ＰＴＯ軸（５５）とワンウェイクラッチ（７３）の潤滑部位を潤滑するための油を分岐させたので、潤滑油はミッションケースに戻される前に油溜めに一旦溜められて、その後にミッションケースに戻される構成となり、ミッションケースに油が急激に戻されることがなくなって、油の飛び散り等による気泡の発生を防止できる。
即ち、油溜めに溜める段階を一旦経てから（ワンクッションをおいてから）ミッションケースに静かに戻す構成とすることにより、油の泡立ちが抑制されて、発生した気泡が潤滑油とともにＨＳＴ等に吸い込まれてキャビテーションなどのトラブルが発生するのを極力防止できるのである。
【００７６】
請求項５に示す如く、請求項４記載の作業車のトランスミッションにおいて、前記一方のＨＳＴ（２５）から車軸（４０Ｌ・４０Ｒ）へ至る伝動経路中に介在させた変速機構（３２）を、連係して変速操作するための変速操作部（Ｇ）を、上記油溜め（Ａ）に臨ませて配置したので、請求項４に示す効果を奏する油溜めに、該変速操作を行う機構を潤滑する役割をも持たせることが可能となる。
従って、一の油溜めを設けるだけで、潤滑油の泡立ち防止及び変速操作を行う機構の潤滑、の二つの効果を奏することとなって、結果的にトランスミッションの構成の簡略化を図ることができるのである。
【図面の簡単な説明】
【図１】  本発明の一実施例に係るコンバインの全体的な構成を示した側面図。
【図２】  同じく平面図。
【図３】  同じく正面模式図。
【図４】  トランスミッションの走行系及びステアリング系のドライブトレーンのスケルトン図。
【図５】  トランスミッションの全体構成を示した正面一部断面図。
【図６】  同じく右側面図。
【図７】  同じく左側面図。
【図８】  同じく平面図。
【図９】  トランスミッションの無段変速部近傍の構成を示した正面断面拡大図。
【図１０】  トランスミッションの走行系ドライブトレーンの構成を表した正面断面展開図。
【図１１】  トランスミッションのステアリング系ドライブトレーンの構成を表した正面断面展開図。
【図１２】  トランスミッションの各ドライブトレーンのギアの噛み合いを示した側面断面図。
【図１３】  ＰＴＯ系ドライブトレーンの構成を表した平面断面展開図。
【図１４】  クラッチフォークシャフトの構成を示した側面断面拡大図。
【図１５】  クラッチスライダの摺動操作機構を示した後面断面展開図。
【図１６】  同じく側面断面図。
【図１７】  トランスミッションの潤滑油の流れを表した図。
【符号の説明】
Ｍ  トランスミッション
Ａ  油溜め
Ｇ  変速操作部
ＣＰ  チャージポンプ
２２  ミッションケース
２５  走行駆動ＨＳＴ
２６ａ  走行駆動ＨＳＴの入力軸
２８  ステアリングＨＳＴ
３２  副変速機構（歯車変速装置）
４０Ｌ・４０Ｒ  車軸
５５  刈取ＰＴＯ軸
７３  ワンウェイクラッチ（刈取ＰＴＯ軸の潤滑部位）
７８  パイプ部材
７９  パイプ部材
８３  戻し孔
【図１】
0004204142.tif 000002
【図２】
0004204142.tif 000003
【図３】
0004204142.tif 000004
【図４】
0004204142.tif 000005
【図５】
0004204142.tif 000006
【図６】
0004204142.tif 000007
【図７】
0004204142.tif 000008
【図８】
0004204142.tif 000009
【図９】
0004204142.tif 000010
【図１０】
0004204142.tif 000011
【図１１】
0004204142.tif 000012
【図１２】
0004204142.tif 000013
【図１３】
0004204142.tif 000014
【図１４】
0004204142.tif 000015
【図１５】
0004204142.tif 000016
【図１６】
0004204142.tif 000017
【図１７】
0004204142.tif 000018